(57)【要約】【課題】水配管接続部が室外機の背面側に取り付けられる場合、室外機の奥行寸法が大きくなって、室外機の設置スペースが大きくなる問題がある。【解決手段】水ユニット部３（熱交換器ユニット）からヒートポンプ部２（室外機本体）の外部に引き回された冷媒配管４１、４２をヒートポンプ部２（室外機本体）に接続するための冷媒配管接続部２２ａ、２２ｂと、水ユニット部３（熱交換器ユニット）から延在した水配管５１、５２が接続されるとともに、温水利用装置からの連絡配管５ａ、５ｂが接続される水配管接続部２０ａ、２０ｂとを有する。そして、冷媒配管接続部２２ａ、２２ｂおよび水配管接続部２０ａ、２０ｂが、ヒートポンプ部２（室外機本体）の側面２Ｒ側に取り付けられている。【選択図】図４
2016085003.tif 000002
【特許請求の範囲】
【請求項１】
圧縮機および空気熱交換器を収容する室外機本体と、
冷媒と水との間で熱交換する水熱交換器を収容する熱交換器ユニットと、
前記熱交換器ユニットから前記室外機本体の外部に引き回された冷媒配管を前記室外機本体に接続するための冷媒配管接続部と、
前記熱交換器ユニットから延在した水配管が接続されるとともに、温水利用装置からの連絡配管が接続される水配管接続部とを備え、
前記冷媒配管接続部および前記水配管接続部が、前記室外機本体の側面側に取り付けられていることを特徴とする室外機。
【請求項２】
前記熱交換器ユニットが、前記室外機本体の上部に取り付けられており、
前記水配管接続部が前記冷媒配管接続部よりも上方に配置されることを特徴とする請求項１に記載の室外機。
【請求項３】
前記室外機本体の側面近傍に、電源線が接続される端子台が取り付けられており、
前記水配管接続部が前記端子台よりも下方に配置されることを特徴とする請求項１または２に記載の室外機。
【請求項４】
前記水配管の全て、および、前記熱交換器ユニットと前記冷媒配管接続部との間の冷媒配管の全てが、前記室外機本体の外部にあることを特徴とする請求項１−３のいずれかに記載の室外機。
【発明の詳細な説明】
【技術分野】
【０００１】
本発明は、冷媒と水との間で熱交換を行う水熱交換器を備える室外機に関する。
【背景技術】
【０００２】
従来の室外機（ヒートポンプ式温水装置）として、冷媒が循環される冷凍サイクルと、給湯装置に温水を供給するための給湯回路とを備えるものがある。冷凍サイクルは、冷媒と水との間で熱交換を行う水熱交換器（熱交換器ユニット）と、冷媒と室外空気との間で熱交換を行う室外空気熱交換器と、圧縮機とを備えている。水熱交換器を収容する熱交換器ユニットは、圧縮機および室外空気熱交換器を収容する室外機本体に取り付けられている。この室外機では、水熱交換器において冷媒との熱交換によって加熱された温水を貯湯タンクに貯留することによって給湯運転を行う。
【先行技術文献】
【特許文献】
【０００３】
【特許文献１】特開２０１０−１４３５２号公報
【発明の概要】
【発明が解決しようとする課題】
【０００４】
ところで、上記のような室外機では、熱交換器ユニットから室外機本体の外部を引き回された冷媒配管が接続される冷媒配管接続部と、熱交換器ユニットから延在した水配管が接続されるとともに、温水利用装置からの連絡配管が接続される水配管接続部とを備える場合がある。この場合において、連絡配管は室外機の後方に引き回されるため、水配管接続部は室外機の背面側に取り付けられることが考えられる。しかしながら、水配管接続部が室外機の背面側に取り付けられる場合、室外機の奥行寸法が大きくなって、室外機の設置スペースが大きくなる問題がある。
【０００５】
そこで、本発明の目的は、設置スペースを小さくできる室外機を提供することである。
【０００６】
第１の発明にかかる室外機は、圧縮機および空気熱交換器を収容する室外機本体と、冷媒と水との間で熱交換する水熱交換器を収容する熱交換器ユニットと、前記熱交換器ユニットから前記室外機本体の外部に引き回された冷媒配管を前記室外機本体に接続するための冷媒配管接続部と、前記熱交換器ユニットから延在した水配管が接続されるとともに、温水利用装置からの連絡配管が接続される水配管接続部とを備え、前記冷媒配管接続部および前記水配管接続部が、前記室外機本体の側面側に取り付けられていることを特徴とする。
【０００７】
この室外機では、水配管接続部が冷媒配管接続部と同じ室外機本体の側面側に取り付けられるので、水配管接続部が室外機の背面側に取り付けられる場合に比べて、室外機の奥行寸法を小さくできる。したがって、室外機の設置スペースを小さくできる。
【０００８】
第２の発明にかかる室外機は、第１の発明にかかる室外機において、前記熱交換器ユニットが、前記室外機本体の上部に取り付けられており、前記水配管接続部が前記冷媒配管接続部よりも上方に配置されることを特徴とする。
【０００９】
この室外機では、熱交換器ユニットが室外機本体の上部に取り付けられる場合において、水配管接続部が冷媒配管接続部よりも上方に配置されるので、水配管接続部が上下方向において冷媒配管接続部と略同じ位置に配置される場合や、水配管接続部が冷媒配管接続部よりも下方に配置される場合に比べて、水配管接続部近傍の水配管や連絡配管に滞留した空気を抜きやすい。
【００１０】
第３の発明にかかる室外機は、第１または第２の発明にかかる室外機において、前記室外機本体の側面近傍に、電源線が接続される端子台が取り付けられており、前記水配管接続部が前記端子台よりも下方に配置されることを特徴とする。
【００１１】
この室外機では、水配管接続部が端子台よりも下方に配置されるので、例えば水配管接続部に接続された水配管や連絡配管を取り外す際などに漏れた水が端子台にかかるのを防止できる。
【００１２】
第４の発明にかかる室外機は、第１−第３のいずれかに記載の室外機において、前記水配管の全て、および、前記熱交換器ユニットと前記冷媒配管接続部との間の冷媒配管の全てが、前記室外機本体の外部にあることを特徴とする。
【００１３】
この室外機では、熱交換器ユニットを室外機本体から取り外す際に、熱交換器ユニットから延びた冷媒配管および水配管をそれぞれ冷媒配管接続部および水配管接続部から取り外せばよく、室外機本体の内部を開けて内部の配管を取り外す必要がないので、熱交換器ユニットを室外機本体から簡単に取り外すことができる。したがって、熱交換器ユニットのメンテナンス性が向上する。
【発明の効果】
【００１４】
以上の説明に述べたように、本発明によれば、以下の効果が得られる。
【００１５】
第１の発明では、水配管接続部が冷媒配管接続部と同じ室外機本体の側面側に取り付けられるので、水配管接続部が室外機の背面側に取り付けられる場合に比べて、室外機の奥行寸法を小さくできる。したがって、室外機の設置スペースを小さくできる。
【００１６】
第２の発明では、熱交換器ユニットが室外機本体の上部に取り付けられる場合において、水配管接続部が冷媒配管接続部よりも上方に配置されるので、水配管接続部が上下方向において冷媒配管接続部と略同じ位置に配置される場合や、水配管接続部が冷媒配管接続部よりも下方に配置される場合に比べて、水配管接続部近傍の水配管や連絡配管に滞留した空気を抜きやすい。
【００１７】
第３の発明では、水配管接続部が端子台よりも下方に配置されるので、例えば水配管接続部に接続された水配管や連絡配管を取り外す際などに漏れた水が端子台にかかるのを防止できる。
【００１８】
第４の発明では、熱交換器ユニットを室外機本体から取り外す際に、熱交換器ユニットから延びた冷媒配管および水配管をそれぞれ冷媒配管接続部および水配管接続部から取り外せばよく、室外機本体の内部を開けて内部の配管を取り外す必要がないので、熱交換器ユニットを室外機本体から簡単に取り外すことができる。したがって、熱交換器ユニットのメンテナンス性が向上する。
【図面の簡単な説明】
【００１９】
【図１】本発明の第１実施形態にかかる温調システムを示す構成図である。
【図２】ヒートポンプ室外機の正面図である。
【図３】（ａ）は、本発明の第１実施形態にかかるヒートポンプ室外機を正面から見たときの内部構成を説明する図であり、（ｂ）は、ヒートポンプ室外機の平面図であり、（ｃ）は、ヒートポンプ室外機の右側面図である。
【図４】（ａ）は、本発明の第１実施形態にかかるヒートポンプ室外機の一部拡大正面図であり、（ｂ）は、ヒートポンプ室外機の拡大右側面図である。
【図５】本発明の第２実施形態にかかる温調システムを示す構成図である。
【図６】（ａ）は、本発明の第２実施形態にかかるヒートポンプ室外機を正面から見たときの内部構成を説明する図であり、（ｂ）は、ヒートポンプ室外機を上から見たときの内部構成を説明する図であり、（ｃ）は、ヒートポンプ室外機の右側面図である。
【図７】（ａ）は、本発明の第２実施形態にかかるヒートポンプ室外機の一部拡大正面図であり、（ｂ）は、ヒートポンプ室外機の拡大右側面図であり、（ｃ）は、（ｂ）から水配管を取り除いたときの図である。
【図８】（ａ）は、本発明の変形例にかかるヒートポンプ室外機の一部拡大正面図であり、（ｂ）は、ヒートポンプ室外機の拡大右側面図であり、（ｃ）は、（ｂ）から水配管を取り除いたときの図である。
【発明を実施するための形態】
【００２０】
以下、図面を参照しつつ、本発明の実施形態について説明する。
【００２１】
［第１実施形態］
図１は、本発明の第１実施形態にかかる温調システムの構成図を示している。図１に示すように、この温調システムは、ヒートポンプ室外機１（以下、室外機１という）と、室外機１に接続された利用側装置４（温水利用装置）とを備える。
【００２２】
室外機１は、図１および図２に示すように、ヒートポンプ部２（室外機本体）と、ヒートポンプ部２の上部に取り付けられた水ユニット部３（熱交換器ユニット）とを有している。ヒートポンプ部２には、圧縮機１０と、室外空気熱交換器１１（空気熱交換器）と、膨張弁１２と、室外ファン１３とが収容されている。水ユニット部３には、給湯用水熱交換器１６と、ポンプ１７とが収容されている。室外機１の内部において、冷媒回路（ヒートポンプ）が構成されており、この冷媒回路は、圧縮機１０と、室外空気熱交換器１１と、膨張弁１２と、給湯用水熱交換器１６とが接続されて構成されている。
【００２３】
圧縮機１０の吐出側には、給湯用水熱交換器１６の冷媒流入口が接続されている。圧縮機１０の吸入側には、室外空気熱交換器１１の一端が接続され、室外空気熱交換器１１の他端には、膨張弁１２の一端が接続されている。また、膨張弁１２の他端と給湯用水熱交換器１６の冷媒流出口とが接続されている。
【００２４】
ヒートポンプ部２は、２つの冷媒配管接続部２２を有している。冷媒配管接続部２２は、圧縮機１０の吐出口と給湯用水熱交換器１６の冷媒流入口との間に接続された第１接続部２２ａと、給湯用水熱交換器１６の冷媒流出口と膨張弁１２との間に接続された第２接続部２２ｂとを有している。第１接続部２２ａおよび第２接続部２２ｂは、例えば閉鎖弁である。
【００２５】
また、水ユニット部３は、２つの継手２３（接続部）を有している。２つの継手２３は、第１接続部２２ａと給湯用水熱交換器１６の冷媒流入口との間に接続された第１継手２３ａと、給湯用水熱交換器１６の冷媒流出口と第２接続部２２ｂとの間に接続された第２継手２３ｂとを有している。第１接続部２２ａと第１継手２３ａとの間の冷媒配管４１、および第２接続部２２ｂと第２継手２３ｂとの間の冷媒配管４２が、水ユニット部３（熱交換器ユニット）からヒートポンプ部２（室外機本体）の外側に引き回されたあとで、ヒートポンプ部２（室外機本体）に接続される冷媒配管である。
【００２６】
室外機１の外部には、給湯タンク５からの連絡配管５ａ，５ｂが接続される給湯用水配管接続部２０が配置されている。給湯用水配管接続部２０は、往き接続部２０ａと、戻り接続部２０ｂとを有している。給湯用水配管接続部２０の往き接続部２０ａは、給湯用水熱交換器１６の水流出口に接続されている。給湯用水配管接続部２０の戻り接続部２０ｂは、給湯用水熱交換器１６の水流入口に接続されている。したがって、給湯用水熱交換器１６では、圧縮機１０の吐出側から流入した冷媒と、給湯用水配管接続部２０の戻り接続部２０ｂから流入した給湯用温水との間で熱交換されることによって、給湯用温水が加熱されて、その加熱された給湯用温水が、給湯用水配管接続部２０の往き接続部２０ａに向かって流出する。
【００２７】
ここで、給湯用水熱交換器１６の水流出口と往き接続部２０ａとの間の水配管５１、および給湯用水熱交換器１６の水流入口と戻り接続部２０ｂとの間の水配管５２が、水ユニット部３（熱交換器ユニット）から、連絡配管５ａ，５ｂが接続される給湯用水配管接続部２０まで延在する水配管である。
【００２８】
本実施形態の温調システムでは、利用側装置４は、給湯タンク５と、ガスボイラ６とを有している。ガスボイラ６は、加熱器６ａを有しており、給湯端末９に接続されている。したがって、ガスボイラ６は、給湯タンク５から供給された給湯用温水を給湯端末９に供給される前に加熱できる。
【００２９】
図３（ａ）は、室外機１を正面から見たときのヒートポンプ部２および水ユニット部３の内部構成を説明する図であり、図３（ｂ）は、室外機１の平面図であり、図３（ｃ）は、室外機１の右側面図である。また、図４（ａ）は、室外機１の正面右側を見たときの冷媒配管接続部および水配管接続部の配置の様子を説明する図であり、図４（ｂ）は、室外機１を右側面から見たときの冷媒配管および水配管の配置の様子を説明する図（図３（ｃ）の拡大図）である。なお、給湯用水熱交換器１６は、断熱材料によって覆われているが、図３（ａ）では、断熱材料の図示を省略して、給湯用水熱交換器１６を図示している。また、室外機１の側面には、ヒートポンプ部２の外部に配置され、給湯用水配管接続部２０および暖房用水配管接続部２１を覆うカバー２ａが配置されているが、図３（ｃ）および図４（ｂ）では図示を省略している。
【００３０】
図３（ａ）に示すように、ヒートポンプ部２は、仕切板３１によって機械室３２と送風室３３とに区画されている。圧縮機１０および膨張弁１２は機械室３２に配置され、室外空気熱交換器１１および室外ファン１３は送風室３３に配置されている。室外機１の右側面側、より詳しくは、ヒートポンプ部２の右側面２Ｒ（機械室３２側の側面）には、上述した２つの冷媒配管接続部２２（第１接続部２２ａおよび第２接続部２２ｂ）が取り付けられている。これら２つの冷媒配管接続部２２は、ヒートポンプ部２の右側面２Ｒ近傍に配置される端子台３５の下方に配置されている。この端子台３５は、機械室３２の内部かつ右側面２Ｒの近傍に配置されるものであり、この端子台３５には、利用側装置４から延びた電源線が接続されている。２つの冷媒配管接続部２２は、右側面２Ｒの下方側（右側面２Ｒの上下方向中央線Ｌ１より下方）にある。また、２つの冷媒配管接続部２２は、下から、第１接続部２２ａ、第２接続部２２ｂの順に配置されている。
【００３１】
第１接続部２２ａの内側（ヒートポンプ部２の内部側）の接続口には、圧縮機１０の吐出側から延びた冷媒配管が接続される。また、第２接続部２２ｂの内側（ヒートポンプ部２の内部側）の接続口には、膨張弁１２から延びた冷媒配管が接続される。これらの冷媒配管は、機械室３２の内部を引き回されている。
【００３２】
一方、２つの冷媒配管接続部２２の外側（ヒートポンプ部２の外部）の接続口には、水ユニット部３からヒートポンプ部２の外部を引き回されるように延びた冷媒配管４１、４２がそれぞれ接続される。詳しくは、第１接続部２２ａの外側の接続口には、第１継手２３ａから延びた冷媒配管４１が接続される。また、第２接続部２２ｂの外側の接続口には、第２継手２３ｂから延びた冷媒配管４２が接続される。これら２つの冷媒配管４１、４２は、ヒートポンプ部２の右側面２Ｒの外側において上下方向に沿うように延在している。また、水ユニット部３と冷媒配管接続部２２との間において、冷媒配管４１、４２の全てがヒートポンプ部２の外部にある。なお、本実施形態において、上下方向に沿うとは、鉛直方向に沿うものだけを意味するわけでなく、鉛直方向に対して傾斜したものも含む。なお、水配管５１、５２のそれぞれの径は、冷媒配管４１、４２のそれぞれの径よりも太くされている。
【００３３】
２つの給湯用水配管接続部２０は、ヒートポンプ部２の右側面２Ｒ（機械室３２側の側面）に取り付けられている。図４（ａ）に示すように、往き接続部２０ａには、給湯用水熱交換器１６の流出口から延びた水配管５１が接続され、戻り接続部２０ｂには、給湯用水熱交換器１６の流入口から延びた水配管５２が接続される。これら２つの水配管５１、５２は、それぞれ水ユニット部３からヒートポンプ部２の内部を引き回されたあと、それぞれ給湯用水配管接続部２０に接続されている。２つの給湯用水配管接続部２０はともに、２つの冷媒配管接続部２２よりも上方に配置される。また、２つの給湯用水配管接続部２０はともに、端子台３５よりも下方に配置される。また、図４（ｂ）に示すように、２つの給湯用水配管接続部２０は、ヒートポンプ部２（室外機本体）の右側面２Ｒの上下方向中央線Ｌ１より上方に配置される。
【００３４】
図４（ｂ）に示すように、往き接続部２０ａの連絡配管接続口および戻り接続部２０ｂの連絡配管接続口は、それぞれ後方を向いており、それぞれ連絡配管５ａ，５ｂが接続されている。図４（ａ）、（ｂ）に示すように、往き接続部２０ａは、給湯用水熱交換器１６の水流出口から貯湯タンク５の水流入口の間において、最も下方側に配置されるので、往き接続部２０ａの近傍の水配管５１内および連絡配管５ａ内は、空気が滞留しやすい部分となる。また、同様に、戻り接続部２０ｂは、給湯用水熱交換器１６の水流入口から貯湯タンクの水流出口の間において、最も下方側に配置されるので、戻り接続部２０ｂの近傍の水配管５２内および連絡配管５ｂ内は、空気が滞留しやすい部分となる。しかし、この室外機１では、２つの給湯用水配管接続部２０が、２つの冷媒配管接続部２２よりも上方に配置されるので、２つの給湯用水配管接続部２０が、２つの冷媒配管接続部２２と上下方向において略同じ位置または２つの冷媒配管接続部２２よりも下方に配置される場合に比べて、水配管５１、５２や連絡配管５ａ，５ｂに滞留した空気を抜きやすい。
【００３５】
＜本実施形態にかかるヒートポンプ室外機の特徴＞
本実施形態にかかる室外機１には、以下の特徴がある。本実施形態の室外機１では、水配管接続部２０が冷媒配管接続部２２と同じヒートポンプ部２（室外機本体）の側面側に取り付けられるので、水配管接続部２０が、室外機１の背面側に取り付けられる場合に比べて、室外機１の奥行寸法を小さくできる。したがって、室外機１の設置スペースを小さくできる。
【００３６】
また、本実施形態の室外機１では、水配管接続部２０が冷媒配管接続部２２よりも上方に配置されるので、水配管接続部２０が上下方向において冷媒配管接続部２２と略同じ位置に配置される場合や、水配管接続部２０が冷媒配管接続部２２よりも下方に配置される場合に比べて、水配管接続部２０近傍の水配管５１、５２や水配管接続部２０近傍の連絡配管５ａ，５ｂに滞留した空気のエア抜きを容易に行うことができる。
【００３７】
また、本実施形態の室外機１では、水配管接続部２０が端子台３５よりも下方に配置されるので、例えば水配管接続部２０に接続された水配管５１、５２や連絡配管５ａ，５ｂを取り外す際などに漏れた水が端子台３５にかかるのを防止できる。
【００３８】
［第２実施形態］
次に、図５−図７を参照しつつ本発明の第２実施形態について説明する。なお、本実施形態において、上述の第１実施形態と同様の構成を有するものについては、同じ符号を付してその説明を適宜省略する。
【００３９】
図５は、本発明の第２実施形態にかかる温調システムの構成図を示している。図５に示すように、この温調システムは、ヒートポンプ室外機１０１（以下、室外機１０１という）と、室外機１０１に接続された利用側装置１０４（温水利用装置）とを備える。
【００４０】
室外機１０１は、図５に示すように、ヒートポンプ部１０２（室外機本体）と、ヒートポンプ部１０２の上部に取り付けられた水ユニット部１０３（熱交換器ユニット）とを有している。この室外機１０１は、例えば空気調和機などに用いられる室外機の上部に水ユニット部１０３が外付けされたものである。
【００４１】
ヒートポンプ部１０２には、圧縮機１０と、室外空気熱交換器１１（空気熱交換器）と、２つの膨張弁１２Ａ，１２Ｂと、室外ファン１３とが収容されている。水ユニット部１０３には、給湯用水熱交換器１６Ａと、暖房用水熱交換器１６Ｂと、ポンプ１７とが収容されている。室外機１０１の内部において、冷媒回路（ヒートポンプ）が構成されており、この冷媒回路は、圧縮機１０と、室外空気熱交換器１１と、膨張弁１２Ａ，１２Ｂと、給湯用水熱交換器１６Ａと、暖房用水熱交換器１６Ｂとが接続されて構成されている。冷媒回路は、圧縮機１０の吐出側に配置された分岐部１８において分岐し、室外空気熱交換器１１の他端側に配置された合流部１９において合流する２つの分岐路を有している。この２つの分岐路は、給湯用水熱交換器１６Ａおよび膨張弁１２Ａが配置された分岐路と、暖房用水熱交換器１６Ｂおよび膨張弁１２Ｂが配置された分岐路である。ポンプ１７は、給湯タンク５から流出した給湯用温水を給湯用水熱交換器１６Ａに供給し、給湯タンク５に供給される給湯用温水を循環させるものである。
【００４２】
圧縮機１０の吐出側には、給湯用水熱交換器１６Ａの冷媒流入口と、暖房用水熱交換器１６Ｂの冷媒流入口とがそれぞれ接続されている。圧縮機１０の吸入側には、室外空気熱交換器１１の一端が接続され、室外空気熱交換器１１の他端には、膨張弁１２Ａ，１２Ｂの一端がそれぞれ接続されている。膨張弁１２Ａの他端と給湯用水熱交換器１６Ａの冷媒流出口とが接続されるとともに、膨張弁１２Ｂの他端と暖房用熱交換器の冷媒流出口とが接続されている。したがって、給湯用水熱交換器１６Ａの冷媒流入口には、圧縮機１０の吐出側の分岐部１８が接続され、給湯用水熱交換器１６Ａの冷媒流出口には、膨張弁１２Ａが接続されている。また、暖房用水熱交換器１６Ｂの冷媒流入口には、圧縮機１０の吐出側の分岐部１８が接続され、暖房用水熱交換器１６Ｂの冷媒流出口には、膨張弁１２Ｂが接続されている。
【００４３】
ヒートポンプ部１０２は、３つの冷媒配管接続部１２２を有している。冷媒配管接続部１２２は、圧縮機１０の吐出口と分岐部１８との間に接続された第１接続部１２２ａと、給湯用水熱交換器１６Ａと膨張弁１２Ａとの間に接続された第２接続部１２２ｂと、暖房用水熱交換器１６Ｂと膨張弁１２Ｂとの間に接続された第３接続部１２２ｃとを有している。第１接続部１２２ａ−第３接続部１２２ｃは、例えば閉鎖弁である。
【００４４】
また、水ユニット部１０３は、３つの継手１２３ａ−１２３ｃ（接続部）を有している。第１継手１２３ａは、第１接続部１２２ａと分岐部１８との間に接続されており、第２継手１２３ｂは、給湯用水熱交換器１６Ａと第２接続部１２２ｂとの間に接続されており、第３継手１２３ｃは、暖房用水熱交換器１６Ｂと第３接続部１２２ｃとの間に接続されている。第１接続部１２２ａと第１継手１２３ａとの間の冷媒配管１４１、第２接続部１２２ｂと第２継手１２３ｂとの間の冷媒配管１４２、および第３接続部１２２ｃと第３継手１２３ｃとの間の冷媒配管１４３が、水ユニット部１０３（熱交換器ユニット）から外側に引き回されるとともに、ヒートポンプ部１０２（室外機本体）に接続される冷媒配管である。
【００４５】
室外機１０１の外部には、給湯タンク５からの連絡配管５ａ，５ｂが接続される給湯用水配管接続部１２０と、床暖房パネル７からの連絡配管７ａ，７ｂが接続される暖房用水配管接続部１２１とが配置されている。給湯用水配管接続部１２０は、往き接続部１２０ａと、戻り接続部１２０ｂとを有しており、暖房用水配管接続部１２１は、往き接続部１２１ａと、戻り接続部１２１ｂとを有している。これらの接続部は、例えば閉鎖弁である。給湯用水配管接続部１２０の往き接続部１２０ａは、給湯用水熱交換器１６Ａの水流出口に接続されている。給湯用水配管接続部１２０の戻り接続部１２０ｂは、給湯用水熱交換器１６Ａの水流入口に接続されている。また、暖房用水配管接続部１２１の往き接続部１２１ａは、暖房用水熱交換器１６Ｂの水流出口に接続されている。暖房用水配管接続部１２１の戻り接続部１２１ｂは、暖房用水熱交換器１６Ｂの水流入口に接続されている。
【００４６】
したがって、給湯用水熱交換器１６Ａでは、圧縮機１０の吐出側の分岐部１８から流入した冷媒と、給湯用水配管接続部１２０の戻り接続部１２０ｂから流入した給湯用温水との間で熱交換されることによって、給湯用温水が加熱されて、その加熱された給湯用温水が、給湯用水配管接続部１２０の往き接続部１２０ａに向かって流出する。また、暖房用水熱交換器１６Ｂでは、圧縮機１０の吐出側の分岐部１８から流入した冷媒と、暖房用水配管接続部１２１の戻り接続部１２１ｂから流入した暖房用温水との間で熱交換されることによって、暖房用温水が加熱されて、その加熱された暖房用温水が、暖房用水配管接続部１２１の往き接続部１２１ａに向かって流出する。本実施形態の温調システムでは、室外機１０１は、給湯用温水および暖房用温水の少なくとも一方を加熱可能である。
【００４７】
また、水ユニット部１０３は、４つの継手（接続部）１２４ａ，１２４ｂ，１２５ａ，１２５ｂを有している。継手１２４ａは、給湯用水熱交換器１６Ａと往き接続部１２０ａとの間に接続される。継手１２４ｂは、給湯用水熱交換器１６Ａと戻り接続部１２０ｂとの間に接続される。継手１２５ａは、暖房用水熱交換器１６Ｂと往き接続部１２１ａとの間に接続される。継手１２５ｂは、暖房用水熱交換器１６Ｂと戻り接続部１２１ｂとの間に接続される。継手１２４ａと往き接続部１２０ａとの間の水配管１５１、継手１２４ｂと戻り接続部１２０ｂとの間の水配管１５２、継手１２５ａと往き接続部１２１ａとの間の水配管１５３、および継手１２５ｂと戻り接続部１２１ｂとの間の水配管１５４が、水ユニット部１０３（熱交換器ユニット）から外側に引き回されるとともに、利用側装置１０４（温水利用装置）からの連絡配管５ａ，５ｂおよび連絡配管７ａ，７ｂが接続される水配管接続部１２０，１２１まで延在する水配管である。
【００４８】
本実施形態の温調システムでは、利用側装置１０４は、給湯タンク５と、ガスボイラ６と、床暖房パネル７と、ポンプ８とを有している。ガスボイラ６は、加熱器６ａを有しており、床暖房パネル７と給湯端末９に接続されている。したがって、ガスボイラ６は、給湯タンク５から供給された給湯用温水を給湯端末９に供給される前に加熱したり、室外機１０１から供給された暖房用温水を床暖房パネル７に供給される前に加熱できる。ポンプ８は、床暖房パネル７から流出した暖房用温水を暖房用水熱交換器１６Ｂに供給し、床暖房パネル７に供給される暖房用温水を循環させるものである。
【００４９】
図６（ａ）は、室外機１０１を正面から見たときのヒートポンプ部１０２および水ユニット部１０３の内部構成を説明する図であり、図６（ｂ）は、室外機１０１を上方から見たときの水ユニット部１０３の内部構成を説明する図であり、図６（ｃ）は、室外機１０１の右側面図である。また、図７（ａ）は、室外機１０１を正面右方から見たときの冷媒配管接続部および水配管接続部の配置の様子を説明する図であり、図７（ｂ）は、室外機１０１を右側面から見たときの冷媒配管接続部および水配管接続部の配置の様子を説明する図（図６（ｃ）の拡大図）であり、図７（ｃ）は、室外機１０１を右側面から見たときの冷媒配管接続部の配置の様子を説明する図である。
【００５０】
なお、給湯用水熱交換器１６Ａおよび暖房用水熱交換器１６Ｂは、断熱材料によって覆われているが、図６では、断熱材料の図示を省略して、給湯用水熱交換器１６Ａおよび暖房用水熱交換器１６Ｂを図示している。また、室外機１０１の側面には、ヒートポンプ部１０２の外部に配置され、給湯用水配管接続部１２０および暖房用水配管接続部１２１を覆うカバー１０２ａが配置されているが、図６（ｃ）、図７（ｂ）、（ｃ）では図示を省略している。
【００５１】
図６（ａ）に示すように、ヒートポンプ部１０２は、仕切板３１によって機械室３２と送風室３３とに区画されている。圧縮機１０および２つの膨張弁１２Ａ，１２Ｂは機械室３２に配置され、室外空気熱交換器１１および室外ファン１３は送風室３３に配置されている。ヒートポンプ部１０２の右側面１０２Ｒ（機械室３２側の側面）には、上述した３つの冷媒配管接続部１２２（第１接続部１２２ａ−第３接続部１２２ｃ）が取り付けられている。これら３つの冷媒配管接続部１２２は、右側面１０２Ｒ近傍に配置される端子台１３５の下方に配置されている。この端子台１３５は、機械室３２の内部かつ右側面１０２Ｒ近傍に配置されるものであり、この端子台１３５には、利用側装置４から延びた電源線が接続されている。この３つの冷媒配管接続部１２２は、右側面１０２Ｒの下方側（右側面１０２Ｒの上下方向中央線Ｌ１より下方）にある。３つの冷媒配管接続部１２２は、下から上に、第１接続部１２２ａ、第２接続部１２２ｂ、第３接続部１２２ｃの順に配置されている。
【００５２】
第１接続部１２２ａの内側（ヒートポンプ部１０２の内部側）の接続口には、圧縮機１０の吐出側から延びた冷媒配管が接続される。また、第２接続部１２２ｂおよび第３接続部１２２ｃの内側（ヒートポンプ部２の内部側）の接続口には、それぞれ膨張弁１２Ａ，１２Ｂから延びた冷媒配管が接続される。これらの冷媒配管は、機械室３２（ヒートポンプ部１０２）の内部を引き回されている。
【００５３】
一方、３つの冷媒配管接続部１２２の外側（ヒートポンプ部１０２の外部）の接続口には、水ユニット部１０３からヒートポンプ部１０２の外部を引き回された冷媒配管１４１−１４３がそれぞれ接続される。詳しくは、第１接続部１２２ａの外側の接続口には、第１継手１２３ａから延びた冷媒配管１４１が接続される。第２接続部１２２ｂの外側の接続口には、第２継手１２３ｂから延びた冷媒配管１４２が接続される。第３接続部１２２ｃの外側の接続口には、第３継手１２３ｃから延びた冷媒配管１４３が接続される。これら３つの冷媒配管１４１−１４３は、水ユニット部１０３と冷媒配管接続部１２２との間において、冷媒配管１４１−１４３の全てがヒートポンプ部１０２の外部にある。また、これらの３つの冷媒配管１４１−１４３は、ヒートポンプ部１０２の右側面１０２Ｒの外側において上下方向に沿うように延在している。なお、本実施形態において、上下方向に沿うとは、鉛直方向に沿うものだけを意味するわけでなく、鉛直方向に対して傾斜したものも含む。
【００５４】
給湯用水配管接続部１２０および暖房用水配管接続部１２１は、ヒートポンプ部１０２の右側面１０２Ｒから外側に突出した取付板３４に取り付けられている。この取付板３４は、図６（ｂ）に示すように、平面視において右側面１０２Ｒに直交するように突出した板状の部材である。したがって、３つの冷媒配管接続部１２２および４つの水配管接続部１２０、１２１（給湯用水配管接続部１２０および暖房用水配管接続部１２１）の全てが、ヒートポンプ部１０２（室外機本体）の右側面側に取り付けられている。なお、本発明において、室外機本体の側面側とは、上記のように、室外機本体の側面から当該側面の外側に離れた位置も含む。また、室外機本体の側面側とは、室外機本体の側面から垂直上方に離れた位置（例えば、水ユニット部（水熱交換器）の側面）も含む。また、図６（ｃ）に示すように、この取付板３４は、右側面１０２Ｒの奥行方向略中央に配置され、３つの冷媒配管接続部１２２よりも後方に配置される。給湯用水配管接続部１２０および暖房用水配管接続部１２１は、給湯用水配管接続部１２０の連絡配管接続口および暖房用水配管接続部１２１の連絡配管接続口がそれぞれ後方を向くように、取付板３４に取り付けられている。図６（ｃ）に示すように、給湯用水配管接続部１２０の連絡配管接続口および暖房用水配管接続部１２１の連絡配管接続口は、ヒートポンプ部１０２の背面よりも背面側には飛び出していない。これら給湯用水配管接続部１２０および暖房用水配管接続部１２１は、右側面１０２Ｒ近傍に配置される端子台１３５の下方に配置されている。また、これら給湯用水配管接続部１２０および暖房用水配管接続部１２１は、右側面１０２Ｒの下方側（右側面１０２Ｒの上下方向中央より下方）にある。
【００５５】
なお、利用側装置（温水利用装置）からの連絡配管は、一般的に地中に埋め込まれるまたは建物の地面近くで配管されるので、水配管接続部が室外機の右側面の上方にある場合、利用側装置（温水利用装置）からの連絡配管を下方に導く必要が生じて、連絡配管の処理が煩雑になる。それに対し、本発明では、上述のように、水配管接続部が室外機の右側面の下方側にあるので、利用側装置（温水利用装置）からの連絡配管を下方に導く必要が生じず、連絡配管の処理が簡単となる。
【００５６】
この室外機１０１では、取付板３４が、平面視において右側面１０２Ｒに直交するように突出しているので、冷媒配管１４１−１４３および水配管１５１−１５４が配置される部分のスペース（室外機１０１の右側面１０２Ｒからの突出長さ）を小さくできる。したがって、カバー１０２ａを小さきでき、室外機１０１全体を小さくできる。なお、本実施形態の室外機１０１では、後述する変形例にかかる温調システムの室外機のように、ヒートポンプ部１０２の右側面１０２Ｒに対向するように（詳しくは、右側面１０２Ｒと平行となるように）配置された板状の取付板６４を有する室外機よりも冷媒配管および水配管が配置される部分のスペースを小さくできる。
【００５７】
図５に示すように、給湯用水配管接続部１２０の往き接続部１２０ａには、継手１２４ａから延びた水配管１５１が接続され、戻り接続部１２０ｂには、継手１２４ｂから延びた水配管１５２が接続される。また、暖房用水配管接続部１２１の往き接続部１２１ａには、継手１２５ａから延びた水配管１５３が接続され、戻り接続部１２１ｂには、継手１２５ｂから延びた水配管１５４が接続される。図６（ｂ）に示すように、これら４つの水配管１５１−１５４は、水ユニット部１０３からヒートポンプ部１０２の外部を引き回されたあと、それぞれ給湯用水配管接続部１２０および暖房用水配管接続部１２１に接続されている。これら４つの水配管１５１−１５４は、ヒートポンプ部１０２の右側面１０２Ｒの外側において上下方向に沿うように延在している。また、水ユニット部１０３と給湯用水配管接続部１２０との間、および水ユニット部１０３と暖房用水配管接続部１２１との間において、水配管１５１−１５４の全てがヒートポンプ部１０２の外部にある。また、図６（ｂ）に示すように、４つの水配管１５１−１５４は、ヒートポンプ部１０２の右側面１０２Ｒに直交する方向に並んで配置される。詳しくは、ヒートポンプ部１０２に近い方から、水配管１５２、水配管１５４、水配管１５１、水配管１５３の順番に配置されている。なお、本実施形態において、上下方向に沿うとは、鉛直方向に沿うものだけを意味するわけでなく、鉛直方向に対して傾斜したものも含む。なお、水配管１５１−１５４のそれぞれの径は、冷媒配管１４１−１４３のそれぞれの径よりも太くされている。
【００５８】
図６及び図７に示すように、４つの水配管接続部１２０、１２１のうち暖房用水配管接続部１２１の戻り接続部１２１ｂは、３つの冷媒配管接続部１２２（第１接続部１２２ａ−第２接続部１２２ｃ）よりも上方に配置される。また、４つの水配管接続部１２０、１２１は、その全てが、端子台１３５よりも下方に配置される。ここで、４つの水配管接続部１２０、１２１は、ヒートポンプ部１０２（室外機本体）の右側面１０２Ｒの上下方向中央より下方に配置される。
【００５９】
＜本実施形態にかかるヒートポンプ室外機の特徴＞
本実施形態にかかる室外機１０１には、以下の特徴がある。本実施形態の室外機１０１では、水配管接続部１２０、１２１が冷媒配管接続部１２２と同じヒートポンプ部１０２（室外機本体）の側面側に取り付けられるので、水配管接続部１２０、１２１が、ヒートポンプ部１０２（室外機本体）の背面側に取り付けられる場合に比べて、室外機１０１の奥行寸法を小さくできる。したがって、室外機１０１の設置スペースを小さくできる。
【００６０】
また、本実施形態の室外機１０１では、水配管接続部１２０、１２１が端子台１３５よりも下方に配置されるので、例えば水配管接続部１２０、１２１に接続された水配管や連絡配管を取り外す際などに漏れた水が端子台１３５にかかるのを防止できる。
【００６１】
また、本実施形態の室外機１０１では、水ユニット部１０３（熱交換器ユニット）をヒートポンプ部１０２（室外機本体）から取り外す際に、水ユニット部１０３（熱交換器ユニット）から延びた冷媒配管１４１−１４３および水配管１５１−１５４をそれぞれ冷媒配管接続部１２２および水配管接続部１２０、１２１から取り外せば済み、ヒートポンプ部１０２（室外機本体）の内部を開けて内部にある冷媒配管や水配管を取り外す必要がない。したがって、熱交換器ユニットを室外機本体から簡単に取り外すことができる。その結果、熱交換器ユニットのメンテナンス性が向上する。
【００６２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６３】
［変形例］
次に、図８を参照しつつ、変形例にかかる温調システムについて説明する。上述の第２実施形態では、４つの水配管１５１−１５４が、ヒートポンプ部１０２の右側面１０２Ｒに直交する方向に並んで配置される場合について説明したが、本変形例の温調システムでは、４つの水配管７１−７４がヒートポンプ室外機の奥行方向に並んで配置される点で上述の第１実施形態と異なる。なお、本実施形態において、上述の第２実施形態と同様の構成を有するものについては、同じ符号を付してその説明を適宜省略する。
【００６４】
このヒートポンプ室外機は、ヒートポンプ部１０２の右側面１０２Ｒの外側かつ右側面１０２Ｒから離れた位置において、ヒートポンプ部１０２の右側面１０２Ｒに対向するように（詳しくは、右側面１０２Ｒと平行となるように）配置された板状の取付板６４を有する。そして、この取付板６４に、給湯用水配管接続部６０の往き接続部６０ａおよび戻り接続部６０ｂ、並びに暖房用水配管接続部６１の往き接続部６１ａおよび戻り接続部６１ｂが取り付けられている。したがって、３つの冷媒配管接続部１２２および４つの水配管接続部６０，６１（給湯用水配管接続部６０および暖房用水配管接続部６１）の全てが、ヒートポンプ部１０２（室外機本体）の右側面１０２Ｒ側に取り付けられている。給湯用水配管接続部１２０および暖房用水配管接続部１２１は、給湯用水配管接続部６０の連絡配管接続口および暖房用水配管接続部６１の連絡配管接続口がそれぞれ後方を向くように、取付板６４に取り付けられている。図８（ｂ）に示すように、給湯用水配管接続部６０の連絡配管接続口および暖房用水配管接続部６１の連絡配管接続口は、ヒートポンプ部２の背面よりも背面側には飛び出していない。
【００６５】
給湯用水配管接続部６０の往き接続部６０ａには、給湯用水熱交換器１６Ａの流出口に接続される継手１２４ａから延びた水配管７１が接続され、戻り接続部６０ｂには、給湯用水熱交換器１６Ａの流入口に接続される継手１２４ｂから延びた水配管７２が接続される。また、暖房用水配管接続部６１の往き接続部６１ａには、暖房用水熱交換器１６Ｂの流出口に接続される継手１２５ａから延びた水配管７３が接続され、戻り接続部６１ｂには、暖房用水熱交換器１６Ｂの流入口に接続される継手１２５ｂから延びた水配管７４が接続される。図８（ｂ）に示すように、これら４つの水配管７１−７４は、水ユニット部１０３からヒートポンプ部１０２の外部を引き回されたあと、それぞれ給湯用水配管接続部６０および暖房用水配管接続部６１に接続されている。これら４つの水配管７１−７４は、ヒートポンプ部１０２の右側面１０２Ｒの外側において上下方向に沿うように延在している。また、水ユニット部１０３と給湯用水配管接続部６０との間、および水ユニット部１０３と暖房用水配管接続部６１との間において、水配管７１−７４の全てがヒートポンプ部１０２の外部にある。また、図８（ｂ）に示すように、４つの水配管７１−７４がヒートポンプ室外機の奥行方向に並んで配置される。
【００６６】
図８に示すように、４つの水配管接続部６０、６１のうち暖房用水配管接続部６１の戻り接続部６１ｂは、３つの冷媒配管接続部１２２（第１接続部１２２ａ−第２接続部１２２ｃ）よりも上方に配置される。また、４つの水配管接続部６０、６１は、その全てが、端子台１３５よりも下方に配置される。ここで、４つの水配管接続部６０、６１は、ヒートポンプ部１０２の右側面１０２Ｒの上下方向中央より下方に配置される。
【００６７】
＜変形例にかかるヒートポンプ室外機の特徴＞
変形例にかかるヒートポンプ室外機では、上述の第２実施形態の室外機１０１と同様の効果が得られる。
【００６８】
［その他変形例］
上述の第１実施形態では、水配管接続部および冷媒配管接続部が、ヒートポンプ部（室外機本体）の右側面に取り付けられる場合について説明したが、例えば第２実施形態や変形例で示したように、水配管接続部および冷媒配管接続部の少なくとも一方がヒートポンプ部（室外機本体）の右側面から外側に離れた位置に配置されてもよい。
【００６９】
また、上述の実施形態では、水配管接続部および冷媒配管接続部が、ヒートポンプ部（室外機本体）の右側面側に取り付けられる場合について説明したが、ヒートポンプ部（室外機本体）の左側面側（送風室側の側面）に取り付けられてもよい。
【００７０】
また、上述の実施形態では、水配管接続部および冷媒配管接続部が、ヒートポンプ部（室外機本体）の側面側に取り付けられる場合について説明したが、室外機の側面側に取り付けられていればよい。したがって、たとえば水配管接続部が水ユニット（熱交換器ユニット）の側面に取り付けられていてもよい。
【００７１】
また、上述の第１実施形態では、水配管接続部の全てが冷媒配管接続部よりも上方に配置される場合について説明したが、水配管接続部の一部が冷媒配管接続部よりも上方に配置されてもよいし、水配管接続部が上下方向において冷媒配管接続部と略同じ位置または水配管接続部が冷媒配管接続部よりも下方に配置されてもよい。
【００７２】
また、上述の第１実施形態では、水ユニット部３（熱交換器ユニット）が、給湯用水熱交換器１６を有している場合について説明したが、上述の第２実施形態のように、水ユニット部１０３（熱交換器ユニット）が、給湯用水熱交換器１６Ａおよび暖房用水熱交換器１６Ｂを有していてもよいし、水ユニット部が暖房用水熱交換器のみを有していてもよいし、水熱交換器が３つ以上あってもよい。したがって、上述の第１実施形態では、冷媒配管接続部および水配管接続部がそれぞれ２つあるが、冷媒配管接続部は１つまたは３つ以上であってもよいし、水配管接続部も１つまたは３つ以上であってもよい。
【００７３】
また、上述の実施形態では、水ユニット部（熱交換器ユニット）が、ヒートポンプ部（室外機本体）の上部に取り付けられている場合について説明したが、これに限られず、例えば水ユニット部がヒートポンプ部よりも下方に取り付けられていてもよいし、水ユニット部がヒートポンプ部の内部に配置されていてもよい。
【００７４】
また、上述の第２実施形態では、水配管１５１−１５４の全て、および、水ユニット部１０３（熱交換器ユニット）と冷媒配管接続部１２２の間の冷媒配管１４１−１４３の全てが、ヒートポンプ部１０２（室外機本体）の外部にある場合について説明したが、冷媒配管および水配管の少なくとも一方がヒートポンプ部の内部を通過していてもよい。
【００７５】
また、上述の実施形態では、室外機の側面近傍に電源線が接続される端子台が取り付けられており、水配管接続部および冷媒配管接続部が端子台よりも下方に配置される場合について説明したが、水配管接続部および冷媒配管接続部の少なくとも一方が上下方向において端子台と略同じ位置または端子台よりも上方に配置されてもよい。
【００７６】
また、上述の実施形態では、水配管接続部と水配管とが別体であるが、水配管が水配管接続部を含んでいてもよい。すなわち、本発明の「水配管」が水配管接続部を含んでいてもよい。
【産業上の利用可能性】
【００７７】
本発明を利用すれば、室外機の設置スペースを小さくできる。
【符号の説明】
【００７８】
１、１０１  ヒートポンプ室外機（室外機）
２、１０２  ヒートポンプ部（室外機本体）
３、１０３  水ユニット部（熱交換器ユニット）
４、１０４  利用側装置（温水利用装置）
５ａ，５ｂ  連絡配管
７ａ，７ｂ  連絡配管
１０  圧縮機
１１  室外空気熱交換器（空気熱交換器）
１６、１６Ａ  給湯用水熱交換器
１６Ｂ  暖房用水熱交換器
２０、６０、１２０  給湯用水配管接続部（水配管接続部）
２１、６１、１２１  暖房用水配管接続部（水配管接続部）
２２、１２２  冷媒配管接続部
３５、１３５  端子台
４１−４２、１４１−１４３  冷媒配管
５１−５２、７１−７４、１５１−１５４  水配管
【図６】
2016085003.tif 000003
【図７】
2016085003.tif 000004
【図１】
2016085003.tif 000005
【図２】
2016085003.tif 000006
【図３】
2016085003.tif 000007
【図４】
2016085003.tif 000008
【図５】
2016085003.tif 000009
【図８】
2016085003.tif 000010